(57)【要約】【課題】  カメラの設定を過去に遡って戻すことが出来、また表示言語や現像パラメータの設定等を間違えた場合に元に戻すことが出来る電子カメラの提供。【解決手段】  撮像した静止画像及び或いは動画像を記録媒体に記録及び画像表示する電子カメラであって、前記画像表示手段にメニューを提示し、メニュー項目の手動選択を受け付けるメニュー提示手段と、前記メニュー提示手段を介して手動選択されたメニュー項目に応じて、予め定められた設定動作を実行する設定手段とを備えた電子カメラにおいて、前記メニュー設定手段はメニュー項目の変更を過去に遡って戻すことができることを特徴とする電子カメラ。【選択図】        図１
2005260442.tif 000002
【特許請求の範囲】
【請求項１】
撮像した静止画像及び或いは動画像を記録媒体に記録及び画像表示する電子カメラであって、前記画像表示手段にメニューを提示し、メニュー項目の手動選択を受け付けるメニュー提示手段と、前記メニュー提示手段を介して手動選択されたメニュー項目に応じて、予め定められた設定動作を実行する設定手段とを備えた電子カメラにおいて、前記メニュー設定手段はメニュー項目の変更を過去に遡って戻すことができることを特徴とする電子カメラ。
【請求項２】
請求項１の電子カメラにおいて、直前に設定したメニュー項目を元に戻すことができることを特徴とする電子カメラ。
【請求項３】
請求項１の電子カメラにおいて、メニュー項目設定変更時の画面遷移を伴って過去に遡って設定したメニュー項目を元に戻すことができることを特徴とする電子カメラ。
【請求項４】
請求項１の電子カメラにおいて、メニュー項目設定変更時の画面遷移を逆順に再現し、設定変更途中に通過したメニュー項目で画面遷移を停止させることでメニュー項目を新たに設定することができることを特徴とする電子カメラ。
【発明の詳細な説明】
【技術分野】
【０００１】
本発明は、静止画像や動画像を撮像、記録、再生する電子カメラに関する。
【背景技術】
【０００２】
従来、メニュー機能を利用して種々の設定を行う電子カメラが知られている。このような電子カメラでは、モニタ画面上に提示されるメニュー項目に沿って、カーソル移動と選択という簡単な操作を繰り返すことにより、目的の設定事項に確実かつ直感的に到達することが可能となる。その結果、個々の設定事項について、専用の操作手順などを事前に覚える必要がなくなり、電子カメラの設定操作が一段と簡単になる。
【０００３】
また、メニュー機能により、複雑で多岐に渡る設定項目を整理して提示することができる。例えば、使用頻度に応じて階層化して、使用頻度が高いものを上位の階層に提示し、使用頻度の低いものを下位の階層に提示するメニューが提案されている。また、機能毎にメニュー項目を分類し、それぞれのメニュー画面を複数用意したメニューなどが提案されている。
【特許文献１】特開２０００−１３８８６０号公報
【発明の開示】
【発明が解決しようとする課題】
【０００４】
この様な従来の電子カメラにおいては、メニュー機能の利用により簡単に設定を変更できるため、操作者が意図しない設定項目も容易に変更することが可能となる。そのために、操作者が誤って設定項目を変更してしまう場合が発生する。例えば、メニュー表示言語の設定の変更や、画像データの現像パラメータの変更をした場合に、電子カメラの操作性や出力画像に大きな影響を与えることとなる。メニュー表示言語を誤って変更した場合には、理解できない言語でのメニュー表示となり、元に戻すには非常に難解かつ労力のいる作業となる。現像パラメータを誤って変更してしまった場合には、出力された画像と変更前の画像とのパラメータの違いを調べて設定し直さねばならず、非常に手間のかかる作業となる。
【０００５】
特開平１１−２６１８５２号公報では、メニュー表示言語を誤って設定した場合に、直ぐに元に戻すことが可能な電子カメラが提案されている。これによると、メニュー言語設定のためのメニュー項目を第１の階層に持っていく方法と、元のメニュー表示言語に戻すためのメニュー項目を第１の階層に持っていく方法とが提案されている。しかしながら、上記提案では、メニュー表示言語の設定に限った提案であり、メニュー項目にかかわらず元に設定内容を元に戻すことができる電子カメラは提案されていない。
【０００６】
本発明は、以上の点に着目して成されたもので、カメラの設定を過去に遡って戻すことが出来、また表示言語や現像パラメータの設定等を間違えた場合に元に戻すことが出来る電子カメラを提供することを目的とする。
【課題を解決するための手段】
【０００７】
この発明は下記の構成を備えることにより上記課題を解決できるものである。
【０００８】
（１）撮像した静止画像及び或いは動画像を記録媒体に記録及び画像表示する電子カメラであって、前記画像表示手段にメニューを提示し、メニュー項目の手動選択を受け付けるメニュー提示手段と、前記メニュー提示手段を介して手動選択されたメニュー項目に応じて、予め定められた設定動作を実行する設定手段とを備えた電子カメラにおいて、前記メニュー設定手段はメニュー項目の変更を過去に遡って戻すことができることを特徴とする電子カメラ。
【０００９】
（２）前記（１）記載の電子カメラにおいて、直前に設定したメニュー項目を元に戻すことができることを特徴とする電子カメラ。
【００１０】
（３）前記（１）記載の電子カメラにおいて、メニュー項目設定変更時の画面遷移を伴って過去に遡って設定したメニュー項目を元に戻すことができることを特徴とする電子カメラ。
【００１１】
（４）前記（１）記載の電子カメラにおいて、メニュー項目設定変更時の画面遷移を逆順に再現し、設定変更途中に通過したメニュー項目で画面遷移を停止させることでメニュー項目を新たに設定することができることを特徴とする電子カメラ。
【００１２】
上記手段により、操作者が意図しない設定項目を誤って変更してしまっても、直ぐに元の設定に戻すことができる電子カメラを提供することができる。
【発明の効果】
【００１３】
本発明によれば、第１に、撮像した静止画像及び或いは動画像を記録媒体に記録及び画像表示する電子カメラであって、前記画像表示手段にメニューを提示し、メニュー項目の手動選択を受け付けるメニュー提示手段と、前記メニュー提示手段を介して手動選択されたメニュー項目に応じて、予め定められた設定動作を実行する設定手段とを備えた電子カメラにおいて、前記メニュー設定手段はメニュー項目の変更を過去に遡って戻すことができることを特徴とする電子カメラを提供することが可能である。
【００１４】
第２に、第１に記述された電子カメラにおいて、直前に設定したメニュー項目を元に戻すことができることを特徴とする電子カメラを提供することが可能である。
【００１５】
第３に、第１に記述された電子カメラにおいて、メニュー項目設定時の画面遷移を伴って過去に遡って設定したメニュー項目を元に戻すことができることを特徴とする電子カメラを提供することが可能である。
【００１６】
第４に、第１に記述された電子カメラにおいて、メニュー項目設定変更時の画面遷移を逆順に再現し、設定変更途中に通過したメニュー項目で画面遷移を停止させることでメニュー項目を新たに設定することが可能である。
【００１７】
上記手段により、操作者が誤って設定項目を変更してしまった場合に、直ぐに前の設定に戻すことができる電子カメラを提供することができる。
【発明を実施するための最良の形態】
【００１８】
以下本発明を実施するための最良の形態を、実施例により詳しく説明する。
【実施例】
【００１９】
（第１の実施例）
以下、図面を参照して本発明の実施例を説明する。
【００２０】
図１は、本発明の実施例の構成を示す図である。
【００２１】
図１において、１００は電子カメラである。
【００２２】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２３】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２４】
２０は画像処理回路であり、Ａ／Ｄ変換器１６からのデータ或いはメモリ制御回路２２からのデータに対して所定の画素補間処理や色変換処理を行う。
【００２５】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００２６】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２８】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２９】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００３０】
画像表示部２８を用いて撮像した画像データを逐次表示すれば、電子ファインダ機能を実現することが可能である。
【００３１】
また、画像表示部２８は、システム制御回路５０の指示により任意に表示をＯＮ／ＯＦＦすることが可能であり、表示をＯＦＦにした場合には電子カメラ１００の電力消費を大幅に低減することが出来る。
【００３２】
３０は撮影した静止画像や動画像を格納するためのメモリであり、所定枚数の静止画像や所定時間の動画像を格納するのに十分な記憶量を備えている。
【００３３】
これにより、複数枚の静止画像を連続して撮影する連射撮影やパノラマ撮影の場合にも、高速かつ大量の画像書き込みをメモリ３０に対して行うことが可能となる。
【００３４】
また、メモリ３０はシステム制御回路５０の作業領域としても使用することが可能である。
【００３５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３６】
４０は絞り機能を備えるシャッター１２を制御する露光制御手段であり、フラッシュ４８と連携することによりフラッシュ調光機能も有するものである。
【００３７】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３８】
４８はフラッシュであり、ＡＦ補助光の投光機能、フラッシュ調光機能も有する。
【００３９】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００４０】
５０は電子カメラ１００全体を制御するシステム制御回路、５２はシステム制御回路５０の動作用の定数、変数、プログラム等を記憶するメモリである。
【００４１】
５４はシステム制御回路５０でのプログラムの実行に応じて、文字、画像、音声等を用いて動作状態やメッセージ等を表示する液晶表示装置、スピーカー等の表示部であり、電子カメラ１００の操作部近辺の視認し易い位置に単数或いは複数個所設置され、例えばＬＣＤやＬＥＤ、発音素子等の組み合わせにより構成されている。
【００４２】
また、表示部５４は、その一部の機能が光学ファインダ１０４内に設置されている。
【００４３】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、等がある。
【００４４】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００４５】
５６は電気的に消去・記録可能な不揮発性メモリであり、例えばＥＥＰＲＯＭ等が用いられる。
【００４６】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４７】
ここで、これらの操作手段の具体的な説明を行う。
【００４８】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４９】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５０】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５１】
６６は画像表示ＯＮ／ＯＦＦスイッチで、画像表示部２８のＯＮ／ＯＦＦを設定することが出来る。
【００５２】
この機能により、光学ファインダ１０４を用いて撮影を行う際に、ＴＦＴ  ＬＣＤ等から成る画像表示部への電流供給を遮断することにより、省電力を図ることが可能となる。
【００５３】
６８はクイックレビューＯＮ／ＯＦＦスイッチで、撮影直後に撮影した画像データを自動再生するクイックレビュー機能を設定する。
【００５４】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、メニュー項目移動＋（プラス）ボタン、メニュー項目移動−（マイナス）ボタン、再生画像移動＋（プラス）ボタン、再生画像−（マイナス）ボタン、撮影画質選択ボタン、露出補正ボタン、日付／時間設定ボタン等がある。
【００５５】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５６】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５７】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５８】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００５９】
インタフェース及びコネクタとしては、ＰＣＭＣＩＡカードやＣＦ（コンパクトフラッシュ（登録商標））カード等の規格に準拠したものを用いて構成して構わない。
【００６０】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００６１】
１０２は、電子カメラ１００のレンズ１０を含む撮像部を覆う事により、撮像部の汚れや破損を防止するバリアである保護手段である。
【００６２】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００６３】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６４】
１１２は通信手段１１０により電子カメラ１００を他の機器と接続するコネクタ或いは無線通信の場合はアンテナである。
【００６５】
２００はメモリカードやハードディスク等の記録媒体である。
【００６６】
記録媒体２００は、半導体メモリや磁気ディスク等から構成される記録部２０２、電子カメラ１００とのインタフェース２０４、電子カメラ１００と接続を行うコネクタ２０６を備えている。
【００６７】
２１０はメモリカードやハードディスク等の記録媒体である。
【００６８】
記録媒体２１０は、半導体メモリや磁気ディスク等から構成される記録部２１２、電子カメラ１００とのインタフェース２１４、電子カメラ１００と接続を行うコネクタ２１６を備えている。
【００６９】
図２から図４を参照して、第１の実施例の動作を説明する。
【００７０】
図２は本実施例の電子カメラ１００のメニュー階層構造を示した図である。
【００７１】
図２を用いて、電子カメラ１００の動作を説明する。
【００７２】
操作部７０にあるメニューボタンを押すと、システム制御５０はメニュー表示動作を行う。メニューは表示部５４に映し出される。メニューは撮影メニューＭ１００、再生メニューＭ２００、設定メニューＭ３００からなっており、初めに表示されるのは撮影メニューＭ１００である。メニュー移動＋（プラス）ボタンやメニュー移動−（マイナス）ボタンを押すことで、上記撮影メニューＭ１００から再生メニューＭ２００、設定メニューＭ３００へと移動させることができる。選択したい項目が存在するメニューに移動させた後に、メニュー項目移動＋（プラス）ボタン、メニュー項目移動−（マイナス）ボタンを使用して選択する項目にカーソルを移動させ、セットボタンでメニュー項目を選択する。
【００７３】
本発明によるメニュー項目の変更を元に戻すには設定メニューＭ３００内の「元に戻す」になる。よって、メニュー移動＋（プラス）ボタンやメニュー移動−（マイナス）ボタンで設定メニューＭ３００を表示させ、その後メニュー項目移動＋（プラス）ボタン、メニュー項目移動−（マイナス）ボタンを使用して「元に戻す」にカーソルを合わせた状態にして、セットボタンを押すことで「元に戻す」を選択したことになる。
【００７４】
「元に戻す」を選択すると、図２の「元に戻す」Ｍ３１５が表示される。「元に戻す」Ｍ３１５には「１項目戻す」「１画面戻す」の２つの項目が存在する。
【００７５】
「１項目戻す」では、設定変更した１つ前のメニュー項目を元に戻す場合に選択する。
【００７６】
「１画面戻す」では、設定変更を行ったときに生じたメニューの画面変化を１つ前に戻す場合に選択する。
【００７７】
「１項目戻す」に設定されている状態で、設定変更したメニュー項目を元に戻したい場合は、以下のような操作を行うことになる。操作部７０にあるメニューボタンを押してメニュー表示状態にする。その後、通常の操作では同時に操作しない操作ボタンを同時に押すことで設定項目を１つ元に戻すことになる。例えば、メニュー移動＋（プラス）ボタンとメニュー移動−（マイナス）ボタンや、メニュー項目移動＋（プラス）ボタンとメニュー項目移動−（マイナス）ボタンなどがこれにあたる。
【００７８】
通常の設定で、オートパワーオフＭ３１０を「切」から「５分」に変更した場合には、図３から図４への変更となる。この設定変化を元に戻したい場合には、メニュー表示状態で、メニュー移動＋（プラス）ボタンとメニュー移動−（マイナス）ボタンを２つ同時押しすることで、図４から図３へと設定が変化して、オートパワーオフＭ３１０の設定が「切」に戻ることになる。
【００７９】
このように、設定を変更してしまったメニュー項目でも、簡単な操作で元の設定に戻すことができる。
【００８０】
ここでは、操作部７０のボタンのうち、通常同時に操作しないボタンの２つ押しという操作で設定を元に戻す例を示したが、他の指示方法でもかまわない。例えば、メニューボタンやセットボタンを長秒時押し続けることで設定を元に戻してもかまわない。また、設定を元に戻すための専用の操作部を持ってもかまわない。
【００８１】
（第２の実施例）
図２から図５を参照して、第２の実施例の動作を説明する。
【００８２】
「元に戻す」Ｍ３１５の設定が「１画面戻す」に設定されている状態で、設定変更したメニュー項目を元に戻したい場合は、以下のような操作を行うことになる。
【００８３】
操作部７０にあるメニューボタンを押してメニュー表示状態にする。その後、通常の操作では同時に操作しない操作ボタンを同時に押すことで設定項目を１つ元に戻すことになる。例えば、メニュー移動＋（プラス）ボタンとメニュー移動−（マイナス）ボタンや、メニュー項目移動＋（プラス）ボタンとメニュー項目移動−（マイナス）ボタンなどがこれにあたる。
【００８４】
通常の設定で、オートパワーオフＭ３１０を「切」から「５分」に変更した場合には、図３から図４への変更となる。この時の画面遷移は「切」→「１分」→「３分」→「５分」と変化している。この設定変化をした後に、メニュー表示状態でメニュー移動＋（プラス）ボタンとメニュー移動−（マイナス）ボタンを２つ同時押しすることで、画面遷移は逆順に再現されて、「５分」から「３分」の画面へ遷移して図５となる。この状態である一定時間が経過すると、「３分」を表す図５から「１分」を表す画面に遷移し、そして最後には「切」を表す図３に画面遷移する。
【００８５】
このように、設定を変更してしまったメニュー項目でも、簡単な操作で元の設定に戻すことができる。
【００８６】
ここでは、操作部７０のボタンのうち、通常同時に操作しないボタンの２つ押しという操作で設定を元に戻す例を示したが、他の指示方法でもかまわない。例えば、メニューボタンやセットボタンを長秒時押し続けることで設定を元に戻してもかまわない。また、設定を元に戻すための専用の操作部を持ってもかまわない。
【００８７】
（第３の実施例）
図２から図５を参照して、第３の実施例の動作を説明する。
【００８８】
「元に戻す」Ｍ３１５の設定が「１画面戻す」に設定されている状態で、設定変更したメニュー項目を元に戻したい場合は、以下のような操作を行うことになる。
【００８９】
操作部７０にあるメニューボタンを押してメニュー表示状態にする。その後、通常の操作では同時に操作しない操作ボタンを同時に押すことで設定項目を１つ元に戻すことになる。例えば、メニュー移動＋（プラス）ボタンとメニュー移動−（マイナス）ボタンや、メニュー項目移動＋（プラス）ボタンとメニュー項目移動−（マイナス）ボタンなどがこれにあたる。
【００９０】
通常の設定で、オートパワーオフＭ３１０を「切」から「５分」に変更した場合には、図３から図４への変更となる。この時の画面遷移は「切」→「１分」→「３分」→「５分」と変化している。この設定変化をした後に、メニュー表示状態でメニュー移動＋（プラス）ボタンとメニュー移動−（マイナス）ボタンを２つ同時押しすることで、画面遷移は逆順に再現されて、「５分」から「３分」の画面へ遷移して図５となる。この状態で設定は「３分」となる。
【００９１】
このように、以前設定された値に戻る過程において、新たに最適な設定を見つけた場合には、その設定を有効にすることが可能となる。
【００９２】
また、元の設定に戻るまでメニュー移動＋（プラス）ボタンとメニュー移動−（マイナス）ボタンの２つ同時押しを繰り返せば、元の設定にまで戻すことが可能である。
【００９３】
ここでは、操作部７０のボタンのうち、通常同時に操作しないボタンの２つ押しという操作で設定を元に戻す例を示したが、他の指示方法でもかまわない。例えば、メニューボタンやセットボタンを長秒時押し続けることで設定を元に戻してもかまわない。また、設定を元に戻すための専用の操作部を持ってもかまわない。
【図面の簡単な説明】
【００９４】
【図１】本発明の実施例の構成ブロック図である。
【図２】メニューの階層構造を示した図である。
【図３】第１、第２、第３の実施例におけるメニュー設定変更前を示した図である。
【図４】第１、第２、第３の実施例におけるメニュー設定変更後を示した図である。
【図５】第２、第３の実施例におけるメニュー設定復帰を示した図である。
【符号の説明】
【００９５】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  電子カメラ
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
【図１】
2005260442.tif 000003
【図２】
2005260442.tif 000004
【図３】
2005260442.tif 000005
【図４】
2005260442.tif 000006
【図５】
2005260442.tif 000007